(57)【要約】【課題】簡素な回路構成でもトラッキングエラーを効果的に抑制できるＡＭ受信回路を提供する。【解決手段】アンテナコイル３０と可変容量ダイオード３２とを含むアンテナ同調回路１０２と、発振コイル４０と可変容量ダイオード４４とを含む発振側回路１０４と、を備え、可変容量ダイオード４４のＣ−Ｖ特性は、容量Ｃを対数表示した場合において印加電圧が高くなるにつれて容量の減少変化の勾配が減少する非直線性を示す領域を含み、可変容量ダイオード３２のＣ−Ｖ特性は、容量Ｃを対数表示した場合において可変容量ダイオード４４よりも直線性が高いものとする。【選択図】図１
2008182406.tif 000002
【特許請求の範囲】
【請求項１】
アンテナコイルと、第１の可変容量ダイオードと、を含むアンテナ同調回路と、
発振コイルと、第２の可変容量ダイオードと、を含む発振側回路と、を備え、
前記第２の可変容量ダイオードのＣ−Ｖ特性は、容量Ｃを対数表示した場合において印加電圧が高くなるにつれて容量の減少変化の勾配が減少する非直線性を示す領域を含み、
前記第１の可変容量ダイオードのＣ−Ｖ特性は、容量Ｃを対数表示した場合において前記第２の可変容量ダイオードよりも直線性が高いことを特徴とするＡＭ受信回路。
【請求項２】
請求項１に記載のＡＭ受信回路であって、
受信周波数帯域内において、前記発振側回路における発振周波数ｆOSC、前記アンテナ同調回路におけるアンテナ同調周波数ｆS、及び、受信回路の中間周波数ｆIF、がトラッキングエラーΔｆに対して
【数１】
2008182406.tif 000006
を満たす領域において、前記第２の可変容量ダイオードは前記非直線性を示すことを特徴とするＡＭ受信回路。
【請求項３】
請求項２に記載のＡＭ受信回路であって、
前記第２の可変容量ダイオードが前記非直線性を示す領域は、前記アンテナ同調周波数ｆSが１０００ｋＨｚ以上１４００ｋＨｚ以下の領域であることを特徴とするＡＭ受信回路。
【請求項４】
請求項１〜３のいずれか１つに記載のＡＭ受信回路であって、
前記アンテナ同調回路は、前記アンテナコイルの両端が前記第１の可変容量ダイオードとコンデンサとの直列回路を介して接続され、
前記発振側回路は、前記発振コイルの両端が前記第２の可変容量ダイオードとパディングコンデンサとの直列回路を介して接続され、
前記第１の可変容量ダイオードと前記コンデンサとの接続点と、前記第２の可変容量ダイオードと前記パディングコンデンサとの接続点と、が抵抗を介して接続されていることを特徴とするＡＭ受信回路。
【発明の詳細な説明】
【技術分野】
【０００１】
本発明は、ＡＭ受信回路に関する。
【背景技術】
【０００２】
ＡＭ受信回路では、アンテナ同調回路及びＲＦ（ラジオ周波）増幅回路において受信信号の受信周波数に同調させて処理を行うと共に、受信周波数よりも中間周波数（４５５ｋＨｚ）分高い発振周波数を局部発振回路で発生させて、スーパーへテロダイン方式により受信信号の処理が行われている。局部発振回路において発振周波数が正しくなければ、トラッキングエラーが発生して、受信感度の劣化を招くおそれがある。
【０００３】
そこで、特許文献１には、図６に示すように、発振コイル１０と、発振コイル１０の両端間に接続されたパディングコンデンサ１２と可変容量ダイオード１４とからなる第１直列回路と、発振コイル１０の両端間に接続されたパディングコンデンサ１６と可変容量ダイオード１８とからなる第２直列回路と、可変容量ダイオード１４の両端間又は発振コイル１０の両端間に接続された受信幅調整用コンデンサ２０とを備えるＡＭ受信回路の局部発振回路が開示されている。
【０００４】
ここで、パディングコンデンサ１２の容量をパディングコンデンサ１６の容量より大きくすることによって、トラッキング誤差周波数を全周波数帯域に亘って小さくすることができ、ＰＬＬ周波数シンセサイザ方式のＡＭ受信回路に適した局部発振回路を構成することを可能としている。
【０００５】
【特許文献１】特開昭６１−２８１６１４号公報
【発明の開示】
【発明が解決しようとする課題】
【０００６】
しかしながら、従来のＡＭ受信回路用の局部発振回路では、トラッキングエラーにより感度劣化を防ぐために複雑な回路構成を必要としたり、余分に補正用の可変容量ダイオードが必要となったりして製造コストの上昇を招いている。
【課題を解決するための手段】
【０００７】
本発明は、アンテナコイルと、第１の可変容量ダイオードと、を含むアンテナ同調回路と、発振コイルと、第２の可変容量ダイオードと、を含む発振側回路と、を備え、前記第２の可変容量ダイオードのＣ−Ｖ特性は、容量Ｃを対数表示した場合において印加電圧が高くなるにつれて容量の減少変化の勾配が減少する非直線性を示す領域を含み、前記第１の可変容量ダイオードのＣ−Ｖ特性は、容量Ｃを対数表示した場合において前記第２の可変容量ダイオードよりも直線性が高いことを特徴とするＡＭ受信回路である。
【０００８】
受信周波数帯域内において、前記発振側回路における発振周波数ｆOSC、前記アンテナ同調回路におけるアンテナ同調周波数ｆS、及び、受信回路の中間周波数ｆIF、がトラッキングエラーΔｆに対して、
【数１】
2008182406.tif 000003
を満たす領域において、前記第２の可変容量ダイオードは前記非直線性を示すことが好適である。
【０００９】
具体的には、前記第２の可変容量ダイオードが前記非直線性を示す領域は、前記アンテナ同調周波数ｆSが１０００ｋＨｚ以上１４００ｋＨｚ以下の領域とすることが好適である。
【００１０】
より具体的な回路構成は以下のように構成することが好適である。前記アンテナ同調回路は、前記アンテナコイルの両端が前記第１の可変容量ダイオードとコンデンサとの直列回路を介して接続され、前記発振側回路は、前記発振コイルの両端が前記第２の可変容量ダイオードとパディングコンデンサとの直列回路を介して接続され、前記第１の可変容量ダイオードと前記コンデンサとの接続点と、前記第２の可変容量ダイオードと前記パディングコンデンサとの接続点と、が抵抗を介して接続されている。
【発明の効果】
【００１１】
本発明によれば、より簡素なＡＭ受信回路の回路構成によりトラッキングエラーを抑制することができる。
【発明を実施するための最良の形態】
【００１２】
本発明の実施の形態におけるＡＭ受信回路１００は、図１に示すように、アンテナ同調回路１０２及び発振側回路（ＯＳＣ同調回路）１０４を含んで構成される。アンテナ同調回路１０２は、アンテナコイル３０、可変容量ダイオード３２、コンデンサ３４及び受信幅調整用コンデンサ３６を含んで構成される。発振側回路１０４は、発振コイル４０、パディングコンデンサ４２、可変容量ダイオード４４及び可変容量コンデンサ４６を含んで構成される。アンテナ同調回路１０２及び発振側回路１０４は、抵抗５０，５２により接続される。
【００１３】
アンテナ同調回路１０２は、アンテナコイル３０と、可変容量ダイオード３２，コンデンサ３４及び受信幅調整用コンデンサ３６とを共振させることで、空間からアンテナ同調周波数ｆSを有する信号を受信するために用いられる。アンテナコイル３０の両端は、可変容量ダイオード３２及びコンデンサ３４の直列回路を介して接続される。また、アンテナコイル３０の両端は、受信幅調整用コンデンサ３６を介して接続される。すなわち、可変容量ダイオード３２及びコンデンサ３４の直列回路と、受信幅調整用コンデンサ３６と、が並列に接続される。
【００１４】
発振側回路１０４は、所定の発振周波数ｆOSCの信号を発生させる回路である。発振コイル４０の両端は、パディングコンデンサ４２と、可変容量ダイオード４４及び可変容量コンデンサ４６の並列回路と、の直列回路により接続される。
【００１５】
アンテナ同調回路１０２の可変容量ダイオード３２とコンデンサ３４との接続点と、発振側回路１０４のコンデンサ４２と可変容量ダイオード４４との接続点と、は抵抗５０及び抵抗５２の直列回路により接続される。抵抗５０と抵抗５２との接続点から出力端子ＯＵＴが引き出される。
【００１６】
中間周波数ｆIFは、発振周波数ｆOSC−アンテナ同調回路で実際に受信される周波数ｆａで表される。また、受信時のトラッキング誤差Δｆは、アンテナ同調回路で実際に受信される周波数ｆａとアンテナ同調周波数ｆSとの差で表され、具体的には数式（１）で表すことができる。
【００１７】
【数２】
2008182406.tif 000004
【００１８】
図２は、印加電圧ＶＲに対する容量Ｃの変化を対数表示したグラフである。図２に示すように、発振側回路１０４の可変容量ダイオード４４の容量Ｃは、印加電圧ＶＲに対して容量Ｃを対数表示した場合において非直線的な曲線Ａで表される変化を示す。すなわち、印加電圧ＶＲが高くなるにつれて急激に容量Ｃは低下し、さらに印加電圧ＶＲが高くなると徐々に容量Ｃの低下の勾配が小さくなる。そのため、印加電圧ＶＲに高周波信号が重畳されると、可変容量ダイオード４４の平均容量ＣＡは図３に示すような変化をみせる。可変容量ダイオード４４のＣ−Ｖ曲線が下に凸の非直線的な変化を示す場合、容量Ｃを対数表示した場合に非直線性が高い領域では、容量Ｃを対数表示した場合に直線性が高い場合（図２：ラインＢ，図３：ラインｂ）にくらべて高周波信号の振幅に対する平均容量ＣＡはラインａに示すように上に凸の変化をする。
【００１９】
図２のラインＢに示すように、可変容量ダイオードのＣ−Ｖ曲線が、容量Ｃを対数表示した場合において直線性を示す場合の平均容量ＣＢに対して、実際の可変容量ダイオードの容量Ｃの変化の平均容量ＣＡは容量差ΔＣを生ずる。図４は、印加電圧ＶＲに対する容量値ＣＡに対する容量差ΔＣの割合の変化を示したものである。
【００２０】
本実施の形態におけるＡＭ受信回路１００は、可変容量ダイオード４４のこの非直線性を利用してトラッキングエラーを抑制する。一般的に、ＡＭ受信回路１００のアンテナ同調周波数ｆSとトラッキングエラーΔｆとの関係は、図５の破線で示すように、周波数ｆSが６００ｋＨｚ，１０００ｋＨｚ，１４００ｋＨｚでトラッキングエラーΔｆが０となる３次関数となる。
【００２１】
そこで、受信周波数帯域内の高周波側の数式（２）が成立する領域（図５では１０００ｋＨｚ以上１４００ｋＨｚ以下の領域）で容量差ΔＣが大きくなる可変容量ダイオード４４を発振側回路１０４に適用する。一方、アンテナ同調回路１０２の可変容量ダイオード３２は、可変容量ダイオード４４よりＣ−Ｖ曲線の直線性が高く、かつ、可変容量ダイオード４４に近い容量を示すものとする。
【００２２】
【数３】
2008182406.tif 000005
【００２３】
これによって、図５の実線で示すように、数式（２）が成立する周波数帯においてトラッキングエラーΔｆを抑制することができる。一般的なＡＭ受信回路では、アンテナ同調周波数ｆSが１０００ｋＨｚ以上１４００ｋＨｚ以下の周波数帯域で数式（２）が成立するように回路が構成されるので、この周波数帯域においてトラッキングエラーΔｆを抑制することができる。
【００２４】
なお、本発明の技術的思想の適用範囲は本実施の形態に限定されるものではない。例えば、アンテナ同調回路や発振側回路は本実施の形態の構成に限定されるものではなく、受信周波数帯域内の高周波側の数式（２）が成立する領域において、直線性が高い可変容量ダイオードに比べて高周波を印加した際の平均容量値の容量差ΔＣが大きくなる可変容量ダイオードを発振側回路に適用することによって様々な回路で同様の作用・効果を得ることができる。
【図面の簡単な説明】
【００２５】
【図１】本発明の実施の形態におけるＡＭ受信回路の構成を示す図である。
【図２】本発明の実施の形態における発振側回路の可変容量ダイオードのＣ−Ｖ特性を示す図である。
【図３】本発明の実施の形態における発振側回路の可変容量ダイオードへ高周波信号が印加された場合の平均容量の変化を示す図である。
【図４】本発明の実施の形態における発振側回路の可変容量ダイオードの容量差ΔＣと容量値ＣＡとの比の印加電圧に対する変化を示す図である。
【図５】本発明の実施の形態におけるＡＭ受信回路のトラッキングエラーの抑制作用を示す図である。
【図６】従来のＡＭ受信回路の構成を示す図である。
【符号の説明】
【００２６】
１０  発振コイル、１２  パディングコンデンサ、１４  可変容量ダイオード、１６  パディングコンデンサ、１８  可変容量ダイオード、２０  受信幅調整用コンデンサ、３０  アンテナコイル、３２  可変容量ダイオード、３４  コンデンサ、３６  受信幅調整用コンデンサ、４０  発振コイル、４２  パディングコンデンサ、４４  可変容量ダイオード、４６  可変容量コンデンサ、５０，５２  抵抗、１００  ＡＭ受信回路、１０２  アンテナ同調回路、１０４  発振側回路。
【図１】
2008182406.tif 000007
【図２】
2008182406.tif 000008
【図３】
2008182406.tif 000009
【図４】
2008182406.tif 000010
【図５】
2008182406.tif 000011
【図６】
2008182406.tif 000012